(57)【特許請求の範囲】
【請求項１】
フイルム出入り口を開放する開き位置と閉鎖する閉じ位置との間で回動自在な遮光蓋が組み込まれた略円柱形状のフイルムカートリッジを光密に収納する略円筒形状のカートリッジ室を備え、このカートリッジ室の一方の端面に形成された開口からフイルムカートリッジを軸方向に移動して取り出すようにしたレンズ付きフイルムユニットにおいて、
前記カートリッジ室の他方の端面に回動自在に組み付けられて遮光蓋の端部に係合する係合軸と、開口に向けて突出するように係合軸と一体に形成され、フイルムカートリッジの外周の平面部分に当接して係合軸を遮光蓋の開き位置で保持する係止片と、該係合軸を遮光蓋の閉じ位置に向けて付勢するバネとからなる遮光蓋閉鎖機構を設けたことを特徴とするレンズ付きフイルムユニット。
【請求項２】
フイルム出入り口を開放する開き位置と閉鎖する閉じ位置との間で回動自在な遮光蓋が組み込まれた略円柱形状のフイルムカートリッジを光密に収納する略円筒形状のカートリッジ室を備え、このカートリッジ室の一方の端面に形成された開口からフイルムカートリッジを軸方向に移動して取り出すようにしたレンズ付きフイルムユニットにおいて、
前記カートリッジ室の他方の端面に貫通して形成された雌ネジに螺合され、フイルムカートリッジの端面に当接する雄ネジと、この雄ネジと一体に形成され遮光蓋の端部に係合される係合軸と、雄ネジを雌ネジにねじ込む方向に付勢するバネとからなり遮光蓋閉鎖機構を設け、該雄ネジが雌ネジにねじ込まれる際に遮光蓋の閉じ位置に向けて回動されるようにしたことを特徴とするレンズ付きフイルムユニット。
【発明の詳細な説明】
【０００１】
【発明の属する技術分野】
本発明は、フイルム出入り口を開閉する遮光蓋を備えたフイルムカートリッジが装填されるレンズ付きフイルムユニットに関するものである。
【０００２】
【従来の技術】
当技術分野で提案され、既に発表されているＡＰＳ（Advanced Photo System)対応のフイルムカートリッジは、図４に示すように、カートリッジ本体にプラスチックが用いられ、さらにフイルム出入り口２８の遮光に従来のテレンプに代えてフイルム出入り口２８を開放する開き位置と、図５に示すようにフイルム出入り口２８を閉鎖して遮光する閉じ位置との間で回動自在とされたプラスチック製の遮光蓋２９が用いられている。この遮光蓋２９の両端には、Ｃ字型の断面形状を有する係合部３０が形成されており、カートリッジ本体から外部に露呈されている。なお、符号４５は、係合部３０に係合して遮光蓋２９を回動させる係合軸の一例を示すものである。
【０００３】
また、上記フイルムカートリッジ１８には、弾性を有する棒状のロックピン３３からなる遮光蓋２９のロック機構が設けられている。このロックピン３３は、遮光蓋２９に向けて突出するようにカートリッジ本体に一体に形成されたもので、遮光蓋２９が閉じ位置にあるときには遮光蓋２９の一方の係合部３０に形成された切欠３０ａに係合してロックする。また、遮光蓋２９が開き位置にあるときには係合部３０の外周面に沿い、ロックピン３３を撓ませないと遮光蓋２９が閉じ位置に回動できないようにしている。そのため係合軸４５は、開き位置から閉じ位置に回動する際に、ロックピン３３を押圧して押し退けるような形状とされている。
【０００４】
上記フイルムカートリッジはカメラはもちろんのこと、小型，軽量であることからレンズ付きフイルムユニットにも用いられる。レンズ付きフイルムユニットは、同時プリントの依頼時にそのまま現像取扱店等に回収され、現像所においてレンズ付きフイルムユニットからのフイルムカートリッジの取り出しと、現像，プリント処理とが行われる。レンズ付きフイルムユニットから取り出されたフイルムカートリッジは、現像処理工程まで搬送するために遮光蓋を閉じておく必要がある。この遮光蓋の閉鎖は、レンズ付きフイルムユニットから取り出した後に行うこともできるが、暗室内で行う必要があるため作業効率は低下する。
【０００５】
そこで、レンズ付きフイルムユニットからフイルムカートリッジを取り出す際の前作業に連動して、遮光蓋を閉鎖する機構を備えたレンズ付きフイルムユニットが各種提案されている。このフイルムカートリッジ取出し時の前作業とは、例えばカートリッジ室の底面を覆う底蓋の開放等であり、実際にフイルムカートリッジをカートリッジ室から移動させるものではない。また、その機構は、遮光蓋の係合部に係合する回動自在な係合軸と、この係合軸を遮光蓋の閉じ位置に向けて付勢するバネと、底蓋が閉じられている間は係合軸を遮光蓋の開き位置で保持し、底蓋の開放とともに保持を解除する連結部材とから構成されている。
【０００６】
【発明が解決しようとする課題】
しかしながら、現像所によっては底蓋を開放してからフイルムカートリッジをすぐに取り出すとは限らず、レンズ付きフイルムユニットはカートリッジ室内にフイルムカートリッジを収めた状態で放置される場合もある。遮光蓋が閉鎖された状態でカートリッジ室内に収納されているフイルムカートリッジは、図５に示すように、ロックピン３３が係合軸４５によって押圧されている状態となり、この状態が長く続くとロックピン３３が塑性変形して遮光蓋２９をロックすることができなくなることがある。
【０００７】
本発明は、上記課題を解決するためのもので、遮光蓋が閉じられているときには確実にフイルムカートリッジがカートリッジ室から取り出されているレンズ付きフイルムユニットを提供することを目的とする。
【０００８】
【課題を解決するための手段】
上記問題点を解決するために、請求項１記載のレンズ付きフイルムユニットは、カートリッジ室の他方の端面に回動自在に組み付けられて遮光蓋の端部に係合する係合軸と、開口に向けて突出するように係合軸と一体に形成され、フイルムカートリッジの外周の平面部分に当接して係合軸を遮光蓋の開き位置で保持する係止片と、該係合軸を遮光蓋の閉じ位置に向けて付勢するバネとから遮光蓋閉鎖機構を構成したものである。
【０００９】
また、請求項２記載のレンズ付きフイルムユニットは、カートリッジ室の他方の端面に貫通して形成された雌ネジに螺合されフイルムカートリッジの端面に当接する雄ネジと、この雄ネジと一体に形成され遮光蓋の端部に係合される係合軸と、雄ネジを雌ネジにねじ込む方向に付勢するバネとから遮光蓋閉鎖機構を構成し、雄ネジは雌ネジにねじ込まれる際に遮光蓋の閉じ位置に向けて回動されるようにしたものである。
【００１０】
【発明の実施の形態】
以下、添付した図面に従って、本発明のレンズ付きフイルムユニットについて説明する。図２に示すように、レンズ付きフイルムユニット２は、予めフイルムカートリッジが装填され各種撮影機構が組み込まれたユニット本体３と、このユニット本体３を部分的に覆う外装紙４とから構成されている。ユニット本体３の上面にはシャッタボタン５，撮影枚数表示窓６が、前面にはファインダ７，撮影レンズ８，ストロボ充電スイッチ９，ストロボ発光部１０等が設けられている。また、背面側からは、フイルム巻上げ操作に用いられる巻上げノブ１１が露呈されている。
【００１１】
外装紙４は、裏面に接着剤が塗布されてユニット本体３の中央部分に巻かれるように貼付され、撮影レンズ８やファインダ７，撮影枚数表示窓６等を外部に露呈させるための開口が形成されている。
【００１２】
ユニット本体３は、ユニット本体３の前面側を形成する前カバー１３と、背面側を形成する後カバー１４と、これら前カバー１３と後カバー１４との間に収められる本体基部１５（図１参照）と、本体基部１５の前面側に組み付けられる露光ユニット及びストロボユニットとから構成されている。
【００１３】
露光ユニットは、図示しないが従来のレンズ付きフイルムユニットと同様に、シャッタチャージ機構，フイルム巻止め機構，カウンタ送り機構，シャッタ駆動機構及びシャッタ羽根，撮影レンズ８等を含む他、ファインダ７を構成する対物レンズと接眼レンズとがユニット化されている。ストロボユニットは、図示しないがストロボ回路が設けられたプリント基板と、これに組み付けられたストロボ発光部１０とからなり、前カバー１３に設けられたストロボ充電スイッチ９の押圧によってストロボ充電が行われ、シャッタレリーズにシンクロしてストロボ発光が行われる。
【００１４】
図１に示すように、本体基部１５の中央部には、前面に露光ユニットが組み付けられる遮光筒１７が形成されている。この遮光筒１７は、前面に露光開口１７ａが形成されており、露光ユニットに組み込まれた撮影レンズ８から写真フイルムまでの間の撮影光路を光密に遮光する。本体基部１５にはフイルムカートリッジ１８が装填される。遮光筒１７を挟む両側には、略円柱形状のカートリッジ本体１９を収納する略円筒形状のカートリッジ室２１と、カートリッジ本体１８から引き出されてロール状に巻かれた写真フイルム２０が収納されるフイルムロール室２２とが一体に形成されている。
【００１５】
図３に示すように、フイルムカートリッジ１８は、プラスチック製の上ケース２４と下ケース２５とからなるカートリッジ本体１９内に、写真フイルム２０を巻き付けたスプール２６が回転自在に収納されている。スプール２６の両端はカートリッジ本体１９の両端面から露呈し、各々係合穴２７が形成されている。上下ケース２４，２５の合わせ目の一方には、フイルム出入り口２８が設けられており、このフイルム出入り口２８を通して写真フイルム２０がカートリッジ本体１９内に出入りする。
【００１６】
上記フイルム出入り口２８を開閉するために、フイルム出入り口２８の奥には遮光蓋２９が組み込まれている。遮光蓋２９の両端は、スプール２６と同様にカートリッジ本体１９の端面から露呈されており、各々断面がＣ字型の係合部３０が形成されている。遮光蓋２９のフイルム出入り口２８に対する部分には、板状の遮光部３１が形成されており、図４に示すようにフイルム出入り口２８を開放する開き位置と、図５に示すようにフイルム出入り口２８を閉鎖する閉じ位置との間で回動自在とされている。
【００１７】
また、上ケース２４からは遮光蓋２９のロックを行うロックピン３３が突設されており、遮光蓋２９が開き位置にあるときには係合部３０の外周面の平面部に沿い、遮光蓋２９が不用意に閉じ位置に回動するのを阻止する。また、遮光蓋２９が閉じ位置にあるときには、係合部３０に形成された切欠３０ａに係合して不用意に遮光蓋２９が開き位置に回動するのを阻止する。なお、符号４５は、カートリッジ室２１からフイルムカートリッジ１８を取り出す際に、遮光蓋２９を閉じ位置に回動する遮光蓋閉鎖機構を構成する係合軸である。この係合軸４５は、遮光蓋２９を開き位置から閉じ位置に回動する際に、ロックピン３３を押圧して押し退ける。そして、係合軸４５が係合部３０から抜けるとロックピン３３が係合部３０に係合する。
【００１８】
カートリッジ本体１９内には、特開平６−２６６０５３号公報で知られるようなフイルム送出し機構が内蔵されている。そして、係合部３０を介して遮光蓋２９を開くことによってスプール２６の回転ロックが解除され、係合穴２７を介してスプール２６を図中時計方向に回転させることによって、写真フイルム２０がフイルム出入り口２８を通して頭出しされる。
【００１９】
図３に示す符号３５は、写真フイルム２０の種別や撮影可能枚数がバーコードで記録されたディスクを示す。このディスク３５はスプール２６と一体に回転し、カメラあるいはプリンタに設けられたバーコードリーダーによってデータ内容が読み取られる。
【００２０】
上記フイルムカートリッジ１８が装填されるカートリッジ室２１及びフイルムロール室２２内は、本体基部１５の背面側に後カバー１４が組み付けられ、後カバー１４に一体に形成されたカートリッジ室用の底蓋３７と、フイルムロール室用の底蓋（図示せず）とが閉じられることにより、適正な遮光能が得られるようになっている。なお、カートリッジ室２１の一方の端面に形成された開口を覆う底蓋３７は、後カバー１４に対して屈曲自在な薄肉部を介して連結されており、使用後のレンズ付きフイルムユニット２からフイルムカートリッジ１８を取り出す際に開放される。
【００２１】
カートリッジ室２１の他方の端面である上壁３９の上面には、巻上げノブ１１が回動自在に取り付けられる。巻上げノブ１１の外周には歯列１１ａが形成されており、この歯列１１ａに逆止爪４０が噛合して逆方向への回転を阻止している。巻上げノブ１１の下面には、巻上げ軸１１ｂが一体に形成されており、カートリッジ室２１の上壁３９を介してカートリッジ本体１９のスプール２６に係合する。巻上げダイヤル１１は、シャッタボタン５の押圧による１コマの撮影ごとに図中反時計方向に回転操作され、巻上げダイヤル１１にロックが掛かるまでのスプール２６の回転によって、１コマ分の写真フイルム２０がカートリッジ本体１９に巻き上げられる。
【００２２】
また、この写真フイルム２０の１コマ分の巻き上げによって、露光ユニットに組み込まれた二歯スプロケットが回動される。この二歯スプロケットは、写真フイルム２０のパーフォレーションに噛合するもので、露光ユニットは二歯スプロケットの回動を利用してフイルム巻止め，シャッタチャージ，撮影枚数表示の更新等を行っている。そして、シャッタボタン５の押圧による撮影と、巻上げノブ１１の回動操作とを繰り返すことによって、写真フイルム２０の後端側（スプール２６に係止された側）から先端側に向かって順次に撮影が行われる。
【００２３】
図１及び図６，図７に示すように、カートリッジ室２１の上壁３９の下面及び上面には、巻上げノブ１１の他に遮光蓋閉鎖機構を構成する回動部材４２，バネ掛け部材４３，バネ４４が組み付けられる。回動部材４２は、遮光蓋２９の係合部３０に係合される係合軸４５と、下方に突出されてカートリッジ本体１９の外周の平面部分に当接する係止片４６と、上壁３９の開口４７に挿入される軸受け部４８とが一体に形成されている。軸受け部４８の上部には、凸部４９が上方に向けて突出されており、この凸部４９がバネ掛け部材４３に形成された穴４３ａに圧入されることにより、上壁を挟んで回動部材４２とバネ掛け部材４３とが一体化される。
【００２４】
バネ掛け部材４３には、バネ４４の一端が掛けられる腕部４３ｂが一体に形成されている。バネ４４の他端は、上壁３９の上面に形成されたピン５１に掛けられ、バネ掛け部材４３を介して回動部材４２を遮光蓋２９の閉じ方向である図中反時計方向に向けて付勢する。なお、後カバー１４には、係止片４６に干渉しないように、凹部５３が形成されている。
【００２５】
レンズ付きフイルムユニット２は、フイルムカートリッジ１８がカートリッジ室２１内に収納されているあいだは、係合軸４５が係合部３０に係合されている。係合軸４５が係合３０に係合されている際には、係止片４６がカートリッジ本体１９の外周の平面部分に当接しており、バネ４４の付勢に抗して係合軸４５を遮光蓋２９の開き位置に保持している。
【００２６】
そして、レンズ付きフイルムユニット２の使用後に、暗室内で底蓋３７を開放してフイルムカートリッジ１８をカートリッジ室２１の底面側から軸方向に取り出すと、図８及び図９に示すように、係止片４６とカートリッジ本体１９との当接が解除される。これにより、バネ４４の付勢によってバネ掛け部材４３を介して回動部材４２が遮光蓋２９の閉じ位置に向けて回動され、係合軸４５に係合された遮光蓋２９は閉じ位置に回動される。
【００２７】
また、この遮光蓋２９の閉じ位置への回動後にはイルムカートリッジ１８はカートリッジ室２１から抜き取られているので、遮光蓋２９の係合部３０からは係合軸４５が抜けており、係合部３０の切欠３０ａにはロックピン３３が係合して遮光蓋２９は閉じ位置でロックされる。これにより、フイルムカートリッジ１８を明室内で現像処理工程に搬送することができる。
【００２８】
このように、遮光蓋２９はフイルムカートリッジ１８がカートリッジ室２１から取り出されないと閉じられないので、ロックピン３３が長期のあいだ変形されることがなく、遮光蓋２９のロック機構を損ねることがない。
【００２９】
なお、上記実施形態では回動部材とバネ掛け部材とをカートリッジ室の上壁の下面と上面とに別々に配置するようにしたが、回動部材とバネ掛け部とを一体化して上壁の上面に組み付けてもよい。この場合には、上壁に係止片がカートリッジ本体の外周面に当接し、さらに回動できるように円弧状のスリットを形成する。
【００３０】
また、カートリッジ室からのフイルムカートリッジの軸方向からの取り出しによって遮光蓋を閉鎖するには、図１０，１１に示すような遮光蓋閉鎖機構を用いることもできる。なお、本実施形態では、上述の実施形態と同じ部品には同符号を付している。本実施形態では、カートリッジ室２１の上壁３９に貫通された雌ネジ６０を形成している。遮光蓋２９の係合部３０に係合する係合軸４５の上部には、雌ネジ６０に螺合する雄ネジ６１が一体に形成されている。この雌ネジ６０と雄ネジ６１は、雄ネジ６１が雌ネジ６０にねじ込まれる際に遮光蓋２９の閉じ方向に向けて回動されるようにネジが切られている。
【００３１】
雄ネジ６１の上部には、フランジ６３とガイド軸６４とが一体に形成されており、ガイド軸６４にはフランジ６３を押圧して雄ネジ６１を雌ネジ６０にねじ込む方向に付勢するコイルバネ６５が挿通されている。後カバー１４には、ガイド軸６４を支持するとともにコイルバネ６５を押さえるガイド板６６が一体に形成されている。
【００３２】
フイルムカートリッジ１８がカートリッジ室２１内に収納されて遮光蓋２９が開き位置にあるときには、雄ネジ６１の下端面が遮光蓋２９に当接しており、コイルバネ６５によってフランジ６３が押圧されても雄ネジ６１は雌ネジ６０にねじ込まれることはない。そして、収納している写真フイルム２０への撮影が終了し、カートリッジ室２１の下面側からフイルムカートリッジ１８を軸方向に取り出すと、雄ネジ６１はコイルバネ６５の押圧によって遮光蓋２９の閉じ位置に回動しながら雌ネジ６０にねじ込まれる。これにより、係合軸４５によって遮光蓋２９は閉じ位置に回動される。
【００３３】
このように、本実施形態においても、遮光蓋２９はフイルムカートリッジ１８がカートリッジ室２１から取り出されないと閉じられないので、ロックピン３３が長期のあいだ変形されることがなく、遮光蓋２９のロック機構を損ねることがない。
【００３４】
なお、上記実施形態では、コイルバネによって雄ネジを下方に押圧することにより雌ネジにねじ込んでいたが、捩じりバネ等を用いて雄ネジを雌ネジにねじ込む回転方向に付勢するようにしてもよい。また、フランジを雄ネジと係合軸との間に配置し、このフランジとカートリッジ室上壁の下面とでコイルバネを挟み込むようにしてもよい。
【００３５】
更に、上記各実施形態では、カートリッジ室の底面側からフイルムカートリッジを軸方向に取り出すようにしたが、カートリッジ室の上面側からフイルムカートリッジを軸方向に取り出すこともできる。また、この場合にはカートリッジ室の下壁に巻上げノブや遮光蓋閉鎖機構を設ける。
【００３６】
【発明の効果】
以上説明したように、本発明のレンズ付きフイルムユニットは、遮光蓋が閉鎖されているときには必ずフイルムカートリッジがカートリッジ室から取り出されている状態となるので、遮光蓋が閉じられた状態でカートリッジ室内に長期間収納されるようなことは発生せず、遮光蓋をロックするロック機構が損なわれるようなことはない。
【図面の簡単な説明】
【図１】本発明のレンズ付きフイルムユニットのユニット本体の構成の一部を示す分解斜視図である。
【図２】本発明のレンズ付きフイルムユニットの外観形状を示す斜視図である。
【図３】フイルムカートリッジの外観形状を示す斜視図である。
【図４】遮光蓋開放時の係合部及びロックピンの状態を示すフイルムカートリッジの要部断面図である。
【図５】遮光蓋閉鎖時の係合部及びロックピンの状態を示すフイルムカートリッジの要部断面図である。
【図６】フイルムカートリッジ装填中の遮光蓋閉鎖機構の状態を示す平面図である。
【図７】フイルムカートリッジ装填中の遮光蓋閉鎖機構の状態を示す要部断面図である。
【図８】フイルムカートリッジ取出し時の遮光蓋閉鎖機構の状態を示す平面図である。
【図９】フイルムカートリッジ取出し時の遮光蓋閉鎖機構の状態を示す要部断面図である。
【図１０】遮光蓋閉鎖機構の別の実施形態のフイルムカートリッジ装填中の状態を示す要部断面図である。
【図１１】遮光蓋閉鎖機構の別の実施形態のフイルムカートリッジ取出し中の状態を示す要部断面図である。
【符号の説明】
２  レンズ付きフイルムユニット
３  ユニット本体
１５  本体基部
１８  フイルムカートリッジ
１９  カートリッジ本体
２０  写真フイルム
２１  カートリッジ室
２９  遮光蓋
３９  上壁
４２  回動部材
４３  バネ掛け部材
４４  バネ
４５  係合軸
４６  係止片
６０  雌ネジ
６１  雄ネジ
６５  コイルバネ
【図１】
0003664194.tif 000002
【図２】
0003664194.tif 000003
【図３】
0003664194.tif 000004
【図４】
0003664194.tif 000005
【図５】
0003664194.tif 000006
【図６】
0003664194.tif 000007
【図７】
0003664194.tif 000008
【図８】
0003664194.tif 000009
【図９】
0003664194.tif 000010
【図１０】
0003664194.tif 000011
【図１１】
0003664194.tif 000012